(57)【特許請求の範囲】
【請求項１】
光を下方に出射させる向きで電気的な光源を保持して天井材に埋込配設される本体部及び前記本体部の外面に突設された複数個の放熱フィンを有する灯体と、
上下両端にそれぞれ開口を有する隙間を前記灯体の外面との間に形成するカバーと、
前記隙間内に配置されて上向きの気流を発生させるファンとを備え、
水平方向向きの気流を上向きに誘導する気流誘導部が、前記ファンの下側に設けられていることを特徴とする照明器具。
【請求項２】
前記ファンは前記灯体の上側に配置され、前記放熱フィンは前記ファンに対して水平方向に並ぶ上下位置まで延長されていることを特徴とする請求項１記載の照明器具。
【請求項３】
前記本体部は有底円筒形状であって、前記放熱フィンは前記本体部の外周面において周方向に等間隔に突設されていることを特徴とする請求項１又は請求項２記載の照明器具。
【請求項４】
前記ファンは前記光源の上側に配置されていることを特徴とする請求項１〜３のいずれか１項に記載の照明器具。
【請求項５】
前記隙間内へ突出した凸部が、前記灯体と前記カバーとの少なくとも一方に設けられていることを特徴とする請求項１〜４のいずれか１項に記載の照明器具。
【請求項６】
前記カバーは前記ファンの上側に位置して前記ファンを埃から保護する保護部を有することを特徴とする請求項１〜５のいずれか１項に記載の照明器具。
【発明の詳細な説明】
【技術分野】
【０００１】
本発明は、照明器具に関するものである。
【背景技術】
【０００２】
従来から、天井面に埋込配設されて下方に光を照射する照明器具であって、空冷のためのファンを備えたものが提供されている（例えば、特許文献１参照）。特に、光源として発光ダイオードが用いられる場合、発光ダイオードは他の電気的な光源に比べて熱による光束の低下や劣化の進行が発生しやすいことから、上記のようなファンが設けられることが多い。
【先行技術文献】
【特許文献】
【０００３】
【特許文献１】特開２０１０−１５３１９８号公報
【発明の概要】
【発明が解決しようとする課題】
【０００４】
従来は、光を下方に出射させるように発光ダイオードを保持した灯体と、灯体の下面以外を間に隙間を空けて覆うカバーとを備え、灯体の中央部には上下に貫通する通気穴が設けられていた。そして、ファンは、上記の通気穴の上側に配置され、灯体の外周とカバーの内周との隙間から流入して通気穴から下方に流出する気流を発生させていた。
【０００５】
上記構成では、気流の流入と流出とがともにファンの下側で行われることで、通気抵抗が比較的に大きくなり、空冷の効率が低くなっていた。
【０００６】
本発明は、上記事由に鑑みて為されたものであり、その目的は、空冷の効率を高めることができる照明器具を提供することにある。
【課題を解決するための手段】
【０００７】
本発明の照明器具は、光を下方に出射させる向きで電気的な光源を保持して天井材に埋込配設される本体部及び前記本体部の外面に突設された複数個の放熱フィンを有する灯体と、上下両端にそれぞれ開口を有する隙間を前記灯体の外面との間に形成するカバーと、前記隙間内に配置されて上向きの気流を発生させるファンとを備え、水平方向向きの気流を上向きに誘導する気流誘導部が、前記ファンの下側に設けられていることを特徴とする。
【０００９】
また、上記の照明器具において、前記ファンは前記灯体の上側に配置され、前記放熱フィンは前記ファンに対して水平方向に並ぶ上下位置まで延長されていることが望ましい。
【００１０】
さらに、上記の照明器具において、前記本体部は有底円筒形状であって、前記放熱フィンは前記本体部の外周面において周方向に等間隔に突設されていることが望ましい。
【００１１】
また、上記の照明器具において、前記ファンは前記光源の上側に配置されていることが望ましい。
【００１２】
さらに、上記の照明器具において、前記隙間内へ突出した凸部が、前記灯体と前記カバーとの少なくとも一方に設けられていることが望ましい。
【００１３】
また、上記の照明器具において、前記カバーは前記ファンの上側に位置して前記ファンを埃から保護する保護部を有することが望ましい。
【発明の効果】
【００１４】
本発明によれば、ファンの下側から流入した気流がファンの上側から流出する構造であるので、気流の流入と流出とがともにファンの下側で行われる場合に比べ、通気抵抗が抑えられることで空冷の効率を高めることができる。
【図面の簡単な説明】
【００１５】
【図１】本発明の実施形態を示す断面図である。
【図２】（ａ）（ｂ）はそれぞれ同上を示し、（ａ）は正面図、（ｂ）は平面図である。
【図３】同上の変更例を示す断面図である。
【図４】（ａ）（ｂ）はそれぞれ同上の別の変更例を示し、（ａ）は断面図、（ｂ）は平面図である。
【図５】同上の更に別の変更例を示す断面図である。
【発明を実施するための形態】
【００１６】
以下、本発明を実施するための最良の形態について、図面を参照しながら説明する。
【００１７】
本実施形態は、図１に示すように、電気的な光源としての発光ダイオード１１を保持して天井材２に設けられた埋込穴２０に埋込配設される灯体１を有する。以下、上下左右は図１を基準として説明する。
【００１８】
灯体１は、下面が開口した有底円筒形状であって発光ダイオード１１が実装されたプリント配線板１２が内底面に固定された本体部１３を有する。発光ダイオード１１の光は、本体部１３の下面の開口を通じて下方へ出射される。
【００１９】
また、図２に示すように、灯体１の外周面には、それぞれ厚さ方向を本体部１３の周方向に向けた複数個（図２では１６個）の放熱フィン１４が、灯体１の周方向に並べて突設されている。灯体１において、発光ダイオード１１と放熱フィン１４との間に介在する部材、並びに、放熱フィン１４自身は、なるべく熱伝導率が高い材料で構成されていることが望ましい。また、放熱が均一に達成されるためには、放熱フィン１４は、灯体１の周方向において等間隔に配置されることが望ましい。
【００２０】
さらに、本実施形態は、上下両端部にそれぞれ開口を有する隙間を灯体１の外面との間に形成するカバー３と、上記の隙間に上向きの気流を発生させるファン４とを備える。
【００２１】
カバー３は、灯体１の全周を囲む円筒形状の筒部３１と、ファン４を上方に露出させて灯体１の上側を覆う覆い部３２とを有する。カバー３の下端（すなわち筒部３１の下端）は灯体１の下端よりも上側に位置しており、カバー３の内面と灯体１の外面との間にはカバー３の下側からファン４にかけて隙間が形成されている。上記のようなカバー３の材料としては例えば合成樹脂や金属を用いることができる。
【００２２】
ファン４は、灯体１の上側において、回転軸を灯体１の中心軸に揃えて、灯体１に対して固定されている。上方から見てファン４はカバー３の上側の開口（すなわち上記の隙間の上側の開口）内に位置する。発光ダイオード１１やファン４の電力を生成する電源回路（図示せず）は、灯体１に収納されていてもよいし、カバー３の外側に配置されていてもよい。
【００２３】
また、ファン４は、上向きの気流を発生させる向きで駆動される。
【００２４】
さらに、灯体１において、ファン４の下側には、本体部１３と同軸の円錐形状の気流誘導部１５が突設されている。
【００２５】
上記構成によれば、図１に矢印で示すようにファン４の下側から流入した気流がファンの上側から流出する構造であるので、気流の流入と流出とがともに下側で行われる場合に比べて通気抵抗が抑えられることで空冷の効率が向上する。
【００２６】
また、ファン４の下側において本体部１３の外周から本体部１３の中心軸上に向かう水平方向の気流は、気流誘導部１５に当たることで上向きに曲がり、ファン４へ誘導される。これにより、気流誘導部１５が設けられない場合に比べ、通気抵抗が抑えられて空冷の効率が改善される。
【００２７】
さらに、本実施形態では、各放熱フィン１４がそれぞれファン４に対して水平方向に並ぶ上下位置まで上方に延長されている。これにより、各放熱フィン１４がファン４よりも下側にのみ位置する場合に比べ、放熱性が改善される。
【００２８】
また、本実施形態では、ファン４は光源であり熱源でもある発光ダイオード１１の上側に配置されている。これにより、ファン４が水平方向において発光ダイオード１１から離される場合に比べ、空冷の効率が改善される。
【００２９】
ここで、上記の気流に乗って吸入された埃がファン４に纏わり付いた場合、ファン４が発生させる騒音が大きくなる可能性や、ファン４の動作が阻害される可能性がある。本実施形態では気流が下方から流入するので、気流が上方から流入する場合に比べて埃が吸入されにくくなっている。さらに上記の埃がファン４に到達しにくいように、図３に示すように、上記の気流の流路内に突出する凸部１６を各放熱フィン１４にそれぞれ設けてもよい。この構成を採用すれば、凸部１６の周辺に渦が発生し、これによって上記の埃がファン４に到達する前に落下しやすくなると考えられる。なお、図３の例では凸部１６は厚さ方向を上下方向に向けた扁平な形状となっているが、凸部１６の形状は適宜変更可能である。また、上記のような凸部１６を灯体１の本体部１３やカバー３に設けてもよい。
【００３０】
また、ファン４の停止中に上方から落下する埃によっても、上記のような問題は発生しうる。そこで、落下する埃からファン４を保護する保護部を設けてもよい。このような保護部としては、図４に示すような網３３や、図５に示すような屋根部３４をカバー３に設けることが考えられる。
【００３１】
図４の例では、網３３は筒部３１の上方に突設された円筒形状の支持部３５によりファン４の上側に支持されており、網３３に堆積した埃はファン４の動作時にある程度吹き飛ばされる。
【００３２】
図５の例では、屋根部３４は筒部３１の上方に突設された支持部３６によりファン４の上側に支持されている。図５の例では支持部３６は例えば多数の貫通穴等を有して気流を通過させるものであり、ファン４の気流は矢印で示されるように支持部３６の貫通穴等を通じて水平方向に流出する。この場合において、通気抵抗を抑えるために、屋根部３４は、ファン４の上側に位置する中央部が、気流の流出口に近い端部よりも下方に突出したＶ字形状ないし円錐形状とされることが望ましい。
【符号の説明】
【００３３】
１  灯体
２  天井材
３  カバー
４  ファン
１１  発光ダイオード（光源）
１３  本体部
１４  放熱フィン
１６  凸部
３３  網（保護部）
３４  屋根部（保護部）
【図１】
0005870293.tif 000002
【図２】
0005870293.tif 000003
【図３】
0005870293.tif 000004
【図４】
0005870293.tif 000005
【図５】
0005870293.tif 000006